(57)【要約】本発明は、１２３４ｙｆと、Ｒ−１３４及びＲ−１３４ａからなる群から選択される少なくとも１つの成分とを含む、共沸性組成物又は共沸混合物様組成物を提供する。本発明の組成物は、冷却剤、伝熱流体、起泡発泡剤、エアロゾル噴霧剤、ならびに鎮火剤及び消火剤として有用である。【選択図】なし【特許請求の範囲】
【請求項１】
５０モル％から９９モル％のＲ−１２３４ｙｆと、１モル％から５０モル％のＲ−１３４とを含む、組成物。
【請求項２】
８０モル％から９８モル％のＲ−１２３４ｙｆと、２モル％から２０モル％のＲ−１３４とを含む、組成物。
【請求項３】
Ｒ−１２３４ｙｆと、Ｒ−１３４と、Ｒ−１２３４ｙｅ、Ｒ−１２４３ｚｆ、Ｒ−３２、Ｒ−１２５、Ｒ−１３４ａ、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンからなる群から選択される１又は複数の追加成分とを含む、組成物。
【請求項４】
Ｒ−１２３４ｙｆと、Ｒ−１３４と、Ｒ−３２とを含む、組成物。
【請求項５】
３０％から６０％のＲ−１２３４ｙｆと、４％から１５％のＲ−１３４と、２０％から６５％のＲ−３２とを含む、組成物。
【請求項６】
４０％から４５％のＲ−１２３４ｙｆと、４％から６％のＲ−１３４と、５０％から５５％のＲ−３２とを含む、組成物。
【請求項７】
Ｒ−１２３４ｙｆと、Ｒ−１３４と、Ｒ−１５２ａとを含む、組成物。
【請求項８】
３０％から８０％のＲ−１２３４ｙｆと、４％から１５％のＲ−１３４と、５％から５５％のＲ−１５２ａとを含む、組成物。
【請求項９】
約３５モル％から９０％モル％の１２３４ｙｆと、約１モル％から約４９％のＲ−１３４ａと、約１モル％から約４９％のＲ−１３４とを含む、組成物。
【請求項１０】
６５モル％から８５モル％の１２３４ｙｆと、約４モル％から約２０％のＲ−１３４ａと、約５モル％から約１５％のＲ−１３４とを含む、組成物。
【請求項１１】
Ｒ−１２３４ｙｆと、Ｒ−１３４ａと、Ｒ−１３４と、Ｒ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分とを含む、組成物。
【請求項１２】
１０モル％から３５モル％のＲ−１３４ａと、６５モル％から９０モル％の１２３４ｙｆとを含む、組成物。
【請求項１３】
ポリオールエステル、ポリアルキレングリコール、ポリビニルエーテル、鉱油、アルキルベンゼン、合成パラフィン、合成ナプテン（ｓｙｎｔｈｅｔｉｃ  ｎａｐｔｈｅｎｅ）、及びポリ（アルファ）オレフィンからなる群から選択される潤滑剤をさらに含む、請求項１から１２のいずれか一項に記載の組成物。
【請求項１４】
前記組成物は、ＧＷＰが１５００未満である、請求項１から１３のいずれか一項に記載の組成物。
【請求項１５】
前記組成物は、伝熱流体、冷却剤、起泡発泡剤（ｆｏａｍ  ｂｌｏｗｉｎｇ  ａｇｅｎｔ）、エアロゾル噴霧剤、ならびに鎮火剤（ｆｉｒｅ  ｓｕｐｐｒｅｓｓｉｏｎ  ａｇｅｎｔ）及び消火剤（ｆｉｒｅ  ｅｘｔｉｎｇｕｉｓｈｉｎｇ  ａｇｅｎｔ）として有用である、請求項１から１４のいずれか一項に記載の組成物。
【発明の詳細な説明】
【技術分野】
【０００１】
本発明は、１２３４ｙｆと、Ｒ−１３４及びＲ−１３４ａからなる群から選択される少なくとも１つの成分とを含む、共沸性組成物又は共沸混合物様組成物を提供する。
【背景技術】
【０００２】
フルオロカーボン系流体には、冷却剤、エアロゾル噴霧剤、発泡剤、伝熱媒体、及びガス状誘電体とすることを含めた多数の用途で、産業上の広範な使用がある。関連する比較的高い地球温暖化係数を含めて、これら流体の一部の使用に付随した疑わしい環境問題を理由として、オゾン層破壊係数が低い又はゼロである流体を使用することが望ましい。
【０００３】
現在使用されている市販の冷却剤の大部分が純粋な流体又は共沸混合物であり、これら冷却剤の多くが、大気に放出される際にオゾン層破壊係数を有する。
【０００４】
多くの共沸混合物は、それらを冷却剤、発泡剤、噴霧剤、溶媒等として有用にさせる性質を保持する。例えば、共沸混合物は、プロセス中及び使用中に沸点の変動を起こさない定沸点を有する。
【０００５】
米国特許第７，５２４，８０５号は、実質的に、有効量のトランス−１，３，３，３−テトラフルオロプロペン（トランスＨＦＯ−１２３４ｚｅ）と、１，１−ジフルオロエタン（“Ｒ−１５２ａ”）、１，１，１，２，３，３，３−ヘプタフルオロプロパン（“Ｒ−２２７ｅａ”）、１，１，１，２−テトラフルオロエタン（“Ｒ−１３４ａ”）、１，１，１，２，２−ペンタフルオロエタン（“Ｒ−１２５”）及びこれらのうちの２以上の組み合わせからなる群から選択される化合物とからなる共沸混合物様組成物を開示する。
【０００６】
米国特許第８，５９２，５３８号は、クロロメタンと、１，１，１，３−テトラフルオロエタン（５４〜８１重量％）もしくは１，３，３，３−テトラフルオロプロペン（４７〜９９．７重量％）からなる群から選択される少なくとも１つのハイドロフルオロカーボン又はハイドロフルオロオレフィンとを含む、共沸性組成物又は共沸混合物様組成物を開示する。
【０００７】
米国特許第９，０２３，２３３号は、６３モル％の２，３，３，３−テトラフルオロプロペンと３７モル％のクロロメタンとを含む、共沸性組成物を開示する。
【０００８】
米国特許第９，５７４，１２３号は、Ｒ及びＨＦＯを含む冷却剤組成物であって、１）ＲとしてＲ−３２、Ｒ−１２５、Ｒ−１３４ａ及びＲ−１３４；２）ＨＦＯとしてＨＦＯ−１２３４ｙｆ及びＨＦＯ−１２３４ｚｅのうちの少なくとも１つ、ならびに３）第３の成分として、ＨＣＣ−４０、ＨＣＦＣ−２２、ＨＣＦＣ−１２４、ＣＦＣ−１１５、ＨＣＦＣ−１１２２、ＣＦＣ−１１１３及び３，３，３−トリフルオロプロピンからなる群から選択された少なくとも１つの構成要素、を含む当該組成物を開示する。
【０００９】
上記した特許は、共沸性組成物又は共沸混合物様組成物について言及していない。
【００１０】
共沸混合物の形成が容易に予想できないという事実により、商業上有用である新規の、環境上安全な、分留されない混合物を特定することが複雑になっている。したがって、産業においては、依然として、新規の共沸混合物及び共沸混合物様混合物が、特に低い地球温暖化係数（ＧＷＰ）を有する化合物の組み合わせが、要望されている。
【００１１】
この事実が、この分野において用途がある新規の共沸混合物の探索を明らかに複雑にしている。それにもかかわらず、所望の特性を有する新規の共沸性組成物を発見するという、この技術分野における絶え間ない努力が存在する。
【００１２】
ＨＦＯと少なくとも１つのＲとを含む本発明の共沸性組成物又は共沸混合物様組成物により、とりわけこの要望が満たされる。
発明の目的
【００１３】
本発明の目的は、１２３４ｙｆと、Ｒ−１３４及びＲ−１３４ａからなる群から選択される少なくとも１つの成分とを含む組成物を提供することである。
【発明の概要】
【００１４】
本発明は、Ｒ−１２３４ｙｆと、Ｒ−１３４ａと、Ｒ−１３４とを含む組成物を提供する。
【００１５】
本発明は、Ｒ−１２３４ｙｆと、Ｒ−１３４とを含む組成物を提供する。
【００１６】
本発明は、Ｒ−１２３４ｙｆと、Ｒ−１３４ａとを含む組成物を提供する。
【発明を実施するための形態】
【００１７】
本明細書で用いる場合、Ｒ−１２３４ｙｆの語は２，３，３，３−テトラフルオロプロペンを指し；１３４ａは１，１，１，２−テトラフルオロエタンを指し；Ｒ−１３４は１，１，２，２−テトラフルオロエタンを指し；Ｒ−１２４３ｚｆは３，３，３−トリフルオロプロパ−１−エンを指し；Ｒ−３２はジフルオロメタンを指し；Ｒ−１２５は１，１，１，２，２−ペンタフルオロエタンを指し；Ｒ−１４３ａは１，１，１−トリフルオロエタンを指し；Ｒ−１５２ａは１，１−ジフルオロエタンを指し；Ｒ−１６１はモノフルオロエタンを指し；Ｒ−２２７ｅａは１，１，１，２，３，３，３−ヘプタフルオロプロパンを指し；Ｒ−２３６ｅａは１，１，１，２，３，３−ヘキサフルオロプロパンを指し；Ｒ−２３６ｆａは１，１，１，３，３，３−ヘキサフルオロプロパンを指し；Ｒ−２４５ｆａは１，１，１，３，３−ペンタフルオロプロパンを指し；Ｒ−６００ａはイソブタンを指し；Ｒ−６００はｎ−ブタンを指し、またＲ−３６５ｍｆｃは１，１，１，３，３−ペンタフルオロブタンを指す。
【００１８】
本明細書で用いる場合、「共沸混合物又は共沸混合物様」の語は、その広義の意味を意図しており、厳密に共沸性である組成と、共沸性混合物のように振舞う組成との両方を含める。共沸性混合物は、液体組成と蒸気組成とが、一定の圧力及び温度において等しいものである２以上の成分の系である。実際には、このことは、共沸性混合物の成分は定沸点であり、相転移中に分離させることができないということを意味している。本発明の共沸混合物様組成物は、新しい共沸混合物様の系を形成するものではない追加成分を含んでもよい。
【００１９】
本発明は、Ｒ−１２３４ｙｆと、Ｒ−１３４又はＲ−１３４ａから選択される少なくとも１つとを含む、共沸性組成物又は共沸混合物様組成物を提供する。
【００２０】
本発明は、Ｒ−１２３４ｙｆと、Ｒ−１３４とを含む、共沸性組成物又は共沸混合物様組成物を提供する。
【００２１】
一実施形態においては、本発明は、約５０モル％から約９９モル％のＲ−１２３４ｙｆと、約１モル％から約５０モル％のＲ−１３４とを含む組成物に関する。
【００２２】
別の実施形態においては、本発明は、約８０モル％から約９８モル％のＲ−１２３４ｙｆと、約２モル％から約２０モル％のＲ−１３４とを含む、２成分の共沸性組成物又は共沸混合物様組成物に関する。
【００２３】
別の実施形態においては、２成分の共沸性組成物は、ポリオールエステル、ポリアルキレングリコール、ポリビニルエーテル、鉱油、アルキルベンゼン、合成パラフィン、合成ナプテン（ｓｙｎｔｈｅｔｉｃ  ｎａｐｔｈｅｎｅ）、及びポリ（アルファ）オレフィンからなる群から選択される潤滑剤をさらに含む。
【００２４】
別の実施形態においては、本発明の２成分の共沸性組成物は、冷却をもたらす又は熱を生成させるプロセスにおいて、伝熱流体、冷却剤、起泡発泡剤（ｆｏａｍ  ｂｌｏｗｉｎｇ  ａｇｅｎｔ）、エアロゾル噴霧剤、ならびに鎮火剤（ｆｉｒｅ  ｓｕｐｐｒｅｓｓｉｏｎ  ａｇｅｎｔ）及び消火剤（ｆｉｒｅ  ｅｘｔｉｎｇｕｉｓｈｉｎｇ  ａｇｅｎｔ）として有用である。
【００２５】
別の実施形態においては、本発明は、８０モル％から約９８モル％のＲ−１２３４ｙｆと、約２モル％から約２０モル％のＲ−１３４とを含む共沸性組成物を含む冷却剤組成物を提供する。
【００２６】
別の実施形態においては、本発明は、約９０モル％のＲ−１２３４ｙｆと、約１０モル％のＲ−１３４とを含む２成分の共沸性組成物又は共沸混合物様組成物に関する。
【００２７】
別の実施形態においては、２成分の共沸性組成物は、ＧＷＰが１５００未満である。
【００２８】
別の実施形態においては、２成分の共沸性組成物は、ＧＷＰが７５０未満である。
【００２９】
別の実施形態においては、２成分の共沸性組成物は、ＧＷＰが５００未満である。
【００３０】
別の実施形態においては、本発明は、ほぼ共沸性の組成物又は非共沸性の組成物であり得る、Ｒ−１２３４ｙｆ、Ｒ−１３４を含む冷却剤組成物を提供する。
【００３１】
別の実施形態においては、本発明は、Ｒ−１２３４ｙｆと、Ｒ−１３４と、Ｒ−１２３４ｙｅ、Ｒ−１２４３ｚｆ、Ｒ−３２、Ｒ−１２５、Ｒ−１３４ａ、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンからなる群から選択される、１又は複数の追加成分と、を含む組成物を提供する。
【００３２】
別の実施形態においては、組成物は、Ｒ−１２３４ｙｆと、Ｒ−１３４と、Ｒ−３２とを含む。別の実施形態においては、冷却剤組成物は、３０％から６０％のＲ−１２３４ｙｆと、４％から１５％のＲ−１３４と、２０％から６５％のＲ−３２とを含む。
【００３３】
別の実施形態においては、組成物は、Ｒ−１２３４ｙｆと、Ｒ−１３４と、Ｒ−３２とを含む。別の実施形態においては、冷却剤組成物は、４０％から４５％のＲ−１２３４ｙｆと、４％から６％のＲ−１３４と、５０％から５５％のＲ−３２とを含むものであって、当該組成物は、ＧＷＰが７５０未満である。
【００３４】
別の実施形態においては、組成物は、Ｒ−１２３４ｙｆと、Ｒ−１３４と、Ｒ−３２と、Ｒ−１５２ａとを含む。別の実施形態においては、冷却剤組成物は、４０％から４５％のＲ−１２３４ｙｆと、４％から６％のＲ−１３４と、２０％から６５％のＲ−３２と、２％から１５％のＲ−１５２ａとを含む。
【００３５】
別の実施形態においては、組成物は、Ｒ−１２３４ｙｆと、Ｒ−１３４と、Ｒ−３２と、Ｒ−１２５とを含む。別の実施形態においては、冷却剤組成物は、４０％から４５％のＲ−１２３４ｙｆと、４％から６％のＲ−１３４と、２０％から６５％のＲ−３２と、２％から１５％のＲ−１２５とを含む。
【００３６】
別の実施形態においては、組成物は、Ｒ−１２３４ｙｆと、Ｒ−１３４と、Ｒ−３２と、Ｒ−１５２ａと、Ｒ−１４３ａとを含む。別の実施形態においては、冷却剤組成物は、４０％から４５％のＲ−１２３４ｙｆと、４％から６％のＲ−１３４と、２０％から６５％のＲ−３２と、２％から１５％の１５２ａと、２％から１０％のＲ−１４３ａとを含む。
【００３７】
別の実施形態においては、組成物は、Ｒ−１２３４ｙｆと、Ｒ−１３４と、Ｒ−３２と、Ｒ−１５２ａと、Ｒ−１２５とを含む。別の実施形態においては、冷却剤組成物は、４０％から４５％のＲ−１２３４ｙｆと、４％から６％のＲ−１３４と、２０％から６５％のＲ−３２と、２％から１５％の１５２ａと、２％から１０％のＲ−１２５とを含む。
【００３８】
別の実施形態においては、組成物は、Ｒ−１２３４ｙｆと、Ｒ−１３４と、Ｒ−３２と、Ｒ−６００ａと、Ｒ−１２５とを含む。別の実施形態においては、冷却剤組成物は、４０％から４５％のＲ−１２３４ｙｆと、４％から６％のＲ−１３４と、２０％から６５％のＲ−３２と、２％から１５％の６００ａと、２％から１０％のＲ−１２５とを含む。
【００３９】
別の実施形態においては、組成物は、Ｒ−１２３４ｙｆと、Ｒ−１３４と、Ｒ−３２と、Ｒ−２２７ｅａと、Ｒ−１２５とを含む。別の実施形態においては、冷却剤組成物は、４０％から４５％のＲ−１２３４ｙｆと、４％から６％のＲ−１３４と、２０％から６５％のＲ−３２と、２％から１５％の２２７ｅａと、２％から１０％のＲ−１２５とを含む。
【００４０】
別の実施形態においては、冷却剤組成物は、Ｒ−１２３４ｙｆと、Ｒ−１３４と、Ｒ−１５２ａとを含む。別の実施形態においては、冷却剤組成物は、３０％から８０％のＲ−１２３４ｙｆと、４％から１５％のＲ−１３４と、５％から５５％のＲ−１５２ａとを含む。
【００４１】
別の実施形態においては、Ｒ−１２３４ｙｆと、Ｒ−１３４と、追加成分とを含む組成物は、ＧＷＰが１５００未満である。
【００４２】
別の実施形態においては、Ｒ−１２３４ｙｆと、Ｒ−１３４と、追加成分とを含む組成物は、ＧＷＰが７５０未満である。
【００４３】
別の実施形態においては、Ｒ−１２３４ｙｆと、Ｒ−１３４と、追加成分とを含む組成物は、ＧＷＰが５００未満である。
【００４４】
別の実施形態においては、Ｒ−１２３４ｙｆと、Ｒ−１３４と、追加成分とを含む組成物は、ポリオールエステル、ポリアルキレングリコール、ポリビニルエーテル、鉱油、アルキルベンゼン、合成パラフィン、合成ナプテン、及びポリ（アルファ）オレフィンからなる群から選択される潤滑剤をさらに含む。
【００４５】
別の実施形態においては、本発明の、Ｒ−１２３４ｙｆと、Ｒ−１３４と、追加成分とを含む組成物は、冷却をもたらす又は熱を生成させるプロセスにおいて、伝熱流体、起泡発泡剤、エアロゾル噴霧剤、ならびに鎮火剤及び消火剤として有用である。
【００４６】
別の実施形態においては、本発明は、Ｒ−１２３４ｙｆと、Ｒ−１３４ａと、Ｒ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分とを含む冷却剤組成物を提供する。
【００４７】
別の実施形態においては、本発明は、１０モル％から５５モル％のＲ−１３４ａと、３５モル％から９０モル％の１２３４ｙｆとを含む組成物を提供する。
【００４８】
別の実施形態においては、本発明は、１０モル％から３５モル％のＲ−１３４ａと、６０モル％から９０モル％の１２３４ｙｆと、Ｒ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分とを含む冷却剤組成物を提供する。
【００４９】
別の実施形態においては、本発明は、Ｒ−１２４４ｙｆと、Ｒ−１３４と、さらにＲ−１３４ａとを含む、共沸性組成物又は共沸混合物様組成物を提供する。
【００５０】
別の実施形態においては、本発明は、約３５モル％から８０％モル％の１２３４ｙｆと、約１モル％から約４９％のＲ−１３４ａと、約１モル％から約４９％のＲ−１３４とを含む組成物を提供する。
【００５１】
別の実施形態においては、本発明は、約６５モル％から８５モル％の１２３４ｙｆと、約４モル％から約２０％のＲ−１３４ａと、約５モル％から約１５％のＲ−１３４とを含む、３成分の共沸性組成物又は共沸混合物様組成物を提供する。
【００５２】
別の実施形態においては、Ｒ−１２３４ｙｆと、Ｒ−１３４と、Ｒ−１３４ａと、追加成分とを含む組成物は、ポリオールエステル、ポリアルキレングリコール、ポリビニルエーテル、鉱油、アルキルベンゼン、合成パラフィン、合成ナプテン、及びポリ（アルファ）オレフィンからなる群から選択される潤滑剤をさらに含む。
【００５３】
別の実施形態においては、本発明の、Ｒ−１２３４ｙｆと、Ｒ−１３４と、Ｒ−１３４ａとを含む組成物は、冷却をもたらす又は熱を生成させるプロセスにおいて、伝熱流体、起泡発泡剤、エアロゾル噴霧剤、ならびに鎮火剤及び消火剤として有用である。
【００５４】
別の実施形態においては、本発明は、Ｒ−１２３４ｙｆと、Ｒ−１３４と、Ｒ−１３４ａとを含む共沸性組成物を含む冷却剤を提供する。
【００５５】
別の実施形態においては、Ｒ−１２３４ｙｆと、Ｒ−１３４と、Ｒ−１３４ａとを含む組成物は、ＧＷＰが１５００未満である。
【００５６】
別の実施形態においては、Ｒ−１２３４ｙｆと、Ｒ−１３４と、Ｒ−１３４ａとを含む組成物は、ＧＷＰが７５０未満である。
【００５７】
別の実施形態においては、Ｒ−１２３４ｙｆと、Ｒ−１３４と、Ｒ−１３４ａとを含む組成物は、ＧＷＰが５００未満である。
【００５８】
別の実施形態においては、本発明は、Ｒ−１２３４ｙｆと、Ｒ−１３４ａと、Ｒ−１３４とを含む組成物を提供し、またＲ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分をさらに含む。
【００５９】
別の実施形態においては、本発明は、Ｒ−１２３４ｙｆと、Ｒ−１３４ａと、Ｒ−１３４と、Ｒ−３２とを含む組成物を提供する。
【００６０】
別の実施形態においては、冷却剤組成物は、４０％から４５％のＲ−１２３４ｙｆと、２％から６％のＲ−１３４と、５％から４５％の１３４ａと、１０％から４５％のＲ−３２とを含む。
【００６１】
別の実施形態においては、冷却剤組成物は、４０％から４５％のＲ−１２３４ｙｆと、４％から６％のＲ−１３４と、５％から４５％の１３４ａと、２％から１０％のＲ−６００ａとを含む。
【００６２】
別の実施形態においては、冷却剤組成物は、４０％から４５％のＲ−１２３４ｙｆと、４％から６％のＲ−１３４と、５％から４５％の１３４ａと、２５から１０％のＲ−６００ａと、２％から１０％のＲ−１２５とを含む。
【００６３】
別の実施形態においては、組成物は、Ｒ−１２３４ｙｆと、Ｒ−１３４と、Ｒ−１３４ａと、Ｒ−３２と、Ｒ−１５２ａと、Ｒ−１４３ａとを含む。別の実施形態においては、冷却剤組成物は、４０％から４５％のＲ−１２３４ｙｆと、４％から６％のＲ−１３４と、５％から３５％の１３４ａと、２０％から６５％のＲ−３２と、２％から１５％の１５２ａと、２％から１０％のＲ−１４３ａとを含む。
【００６４】
別の実施形態においては、組成物は、Ｒ−１２３４ｙｆと、Ｒ１３４ａと、Ｒ−１３４と、Ｒ−３２と、Ｒ−１５２ａとを含む。別の実施形態においては、冷却剤組成物は、３０％から６５％のＲ−１２３４ｙｆと、４％から８％のＲ−１３４と、５％から５０％の１３４ａと、２０％から６５％のＲ−３２と、２％から２５％の１５２ａとを含む。
【００６５】
別の実施形態においては、組成物は、Ｒ−１２３４ｙｆと、Ｒ−１３４と、Ｒ−３２と、Ｒ−１３４ａと、Ｒ−１２５とを含む。別の実施形態においては、冷却剤組成物は、４０％から４５％のＲ−１２３４ｙｆと、４％から６％のＲ−１３４と、５％から３５％の１３４ａと、２０％から６５％のＲ−３２と、２％から１０％のＲ−１２５とを含む。
【００６６】
別の実施形態においては、組成物は、Ｒ−１２３４ｙｆと、Ｒ−１３４と、Ｒ−３２と、Ｒ−１３４ａと、Ｒ−２２７ｅａとを含む。別の実施形態においては、冷却剤組成物は、４０％から４５％のＲ−１２３４ｙｆと、４％から６％のＲ−１３４と、５％から３５％の１３４ａと、２０％から６５％のＲ−３２と、２％から１０％のＲ−２２７ｅａとを含む。
【００６７】
別の実施形態においては、組成物は、Ｒ−１２３４ｙｆと、Ｒ−１３４と、Ｒ−３２と、Ｒ−１３４ａと、Ｒ−６００ａとを含む。別の実施形態においては、冷却剤組成物は、４０％から４５％のＲ−１２３４ｙｆと、４％から６％のＲ−１３４と、５％から３５％の１３４ａと、２０％から６５％のＲ−３２と、２％から１０％のＲ−６００ａとを含む。
【００６８】
別の実施形態においては、Ｒ−１２３４ｙｆと、Ｒ−１３４と、Ｒ−１３４ａとを含む組成物は、ポリオールエステル、ポリアルキレングリコール、ポリビニルエーテル、鉱油、アルキルベンゼン、合成パラフィン、合成ナプテン、及びポリ（アルファ）オレフィンからなる群から選択される潤滑剤をさらに含む。
【００６９】
別の実施形態においては、Ｒ−１２３４ｙｆと、Ｒ−１３４ａと、Ｒ−１３４と、追加成分とを含む組成物は、ＧＷＰが１５００未満である。
【００７０】
別の実施形態においては、Ｒ−１２３４ｙｆと、Ｒ−１３４ａと、Ｒ−１３４と、追加成分とを含む組成物は、ＧＷＰが７５０未満である。
【００７１】
別の実施形態においては、Ｒ−１２３４ｙｆと、Ｒ−１３４ａと、Ｒ−１３４と、追加成分とを含む組成物は、ＧＷＰが５００未満である。
【００７２】
別の実施形態においては、Ｒ−１２３４ｙｆと、Ｒ−１３４ａと、Ｒ−１３４と、追加成分とを含む組成物は、冷却をもたらす又は熱を生成させるプロセスにおいて、伝熱流体、起泡発泡剤、エアロゾル噴霧剤、ならびに鎮火剤及び消火剤として有用である。
【００７３】
本発明の組成物は、特に、ジフルオロクロロメタン（Ｒ−２２）／テトラフルオロエテン（ＴＦＥ）及びクロロメタン（Ｒ−４０）／メタンの反応によって調製可能である。ジフルオロクロロメタン（Ｒ−２２）／テトラフルオロエテン（ＴＦＥ）及びクロロメタン（Ｒ−４０）／メタンの反応は、四塩化炭素、ヘキサクロロエタン、塩化トリクロロアセチル、クロロホルム、ホスゲン、塩化チオニル、塩化スルフォニル、トリクロロメチルベンゼン、有機次亜塩素酸塩、及び無機次亜塩素酸塩、又はその混合物からなる群から選択される開始剤の存在下で実行してもよい。
【００７４】
ジフルオロクロロメタン（Ｒ−２２）／テトラフルオロエテン（ＴＦＥ）及びクロロメタン（Ｒ−４０）／メタンの反応は、５００から８５０℃の範囲の温度で実行する。
【００７５】
本発明の共沸性組成物又は共沸混合物様組成物は、ＴＦＥ及びＲ４０の反応で得られたアウトレット組成物（ｏｕｔｌｅｔ  ｃｏｍｐｏｓｉｔｉｏｎ）より単離する。
【００７６】
本組成物は、幅広い用途で有用性がある。例えば、本発明の一実施形態は、本共沸混合物様組成物を含む、発泡剤、伝熱組成物、エアロゾル及びクリーニング、ならびに冷却剤の組成物に関する。
【００７７】
本発明のこの態様の別の実施形態においては、共沸混合物又は共沸混合物様組成物は、約０．５％未満の非吸収性の気体をさらに含む。
【００７８】
本発明のこの態様の別の実施形態においては、冷却剤組成物は、潤滑剤、色素（紫外色素を含む）、可溶化剤、相溶化剤（ｃｏｍｐａｔｉｂｉｌｉｚｅｒ）、安定剤、トレーサー、パーフルオロポリエーテル、摩耗防止剤、極圧剤、腐食防止剤及び酸化防止剤、金属表面エネルギー還元剤、金属表面不活性化剤、フリーラジカル消去剤、泡制御剤、粘度指数向上剤、流動点降下剤、界面活性剤、粘度調整剤、ならびにその混合物からなる群から選択される任意の成分を含有してもよい。実際には、これら任意の他の成分の多くは、これらカテゴリのうちの１又は複数に該当し、また１又は複数の性能上の特性をそれら自体が達成するのに役立つ品質を有し得る。
【００７９】
この態様の別の実施形態においては、本発明は、本発明の冷却剤組成物を用いた冷却プロセスを提供するものであって、これは、
ａ）冷却剤組成物を凝縮するステップと、
ｂ）冷却剤組成物を蒸発させるステップとを含む。
【００８０】
本発明のこれら組成物は、比較的低い地球温暖化係数（「ＧＷＰ」）を呈する傾向がある。
【００８１】
この背景、及び完全な明細書でのより詳細なやり方でやがて出願されるものである他の背景に対して、本発明は、以下の非限定的な実施例において明らかになり、説明される。
【実施例】
【００８２】
本発明の共沸混合物組成物又は共沸混合物様組成物を冷却剤組成物として用いて、屋内を２７℃の乾球温度（ＤＢＴ）及び１９℃の湿球温度（ＷＢＴ）ならびに屋外を３５ＤＢＴ及び２４ＷＢＴに維持して、標準ＡＳＨＲＡＥモデル化プログラムで試験することが可能である。
【００８３】
本発明の冷却剤組成物を表１に列記している。
【００８４】
本発明の組成物のＲ−２２との比較を表２に列記している。本発明のＲ−４０４との比較を表３に列記している。
表１
【００８５】
全ての量は質量％として計算している。
【００８６】
【表１】
2021526566.tif 000002
【００８７】
【表２】
2021526566.tif 000003
【００８８】
【表３】
2021526566.tif 000004
【００８９】
蒸発エンタルピーの比較データを、以下の表４で与える。
【００９０】
【表４】
2021526566.tif 000005
【００９１】
上記の表に示したように、本発明の冷却剤組成物は、良好な冷却性能を呈し、またレガシーであるＲ２２及び４０４Ａの冷却剤と実質的に同様の手法で、同一条件下で運用されることとなる。性能係数は、Ｒ２２とほぼ近く、またＯＤＰはゼロであり、そして非常に低ＧＷＰである。
【００９２】
本発明の冷却剤組成物は、以下の表５に与えるとおりより高い比熱容量を有する。Ｃｐ（定圧比熱）は、定圧で熱を与えた場合に、温度を１℃上昇させるのに必要な熱の量であり、Ｃｖ（定積比熱）は、定容積で熱を与えた場合に、温度を１℃上昇させるのに必要な熱の量を意味する。
【００９３】
【表５】
2021526566.tif 000006
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
５０モル％から９９モル％のＲ−１２３４ｙｆと、１モル％から５０モル％のＲ−１３４とを含む、冷却剤組成物。
【請求項２】
８０モル％から９８モル％のＲ−１２３４ｙｆと、２モル％から２０モル％のＲ−１３４とを含む、冷却剤組成物。
【請求項３】
ポリオールエステル、ポリアルキレングリコール、ポリビニルエーテル、鉱油、アルキルベンゼン、合成パラフィン、合成ナプテン（ｓｙｎｔｈｅｔｉｃ  ｎａｐｔｈｅｎｅ）、及びポリ（アルファ）オレフィンからなる群から選択される潤滑剤をさらに含む、請求項１から２のいずれか一項に記載の冷却剤組成物。
【請求項４】
前記冷却剤組成物は、ＧＷＰが１５００未満である、請求項１から３のいずれか一項に記載の冷却剤組成物。
【手続補正２】
【補正対象書類名】明細書
【補正対象項目名】全文
【補正方法】変更
【補正の内容】
【発明の詳細な説明】
【技術分野】
【０００１】
本発明は、１２３４ｙｆと、Ｒ−１３４及びＲ−１３４ａからなる群から選択される少なくとも１つの成分とを含む、共沸性組成物又は共沸混合物様組成物を提供する。
【背景技術】
【０００２】
フルオロカーボン系流体には、冷却剤、エアロゾル噴霧剤、発泡剤、伝熱媒体、及びガス状誘電体とすることを含めた多数の用途で、産業上の広範な使用がある。関連する比較的高い地球温暖化係数を含めて、これら流体の一部の使用に付随した疑わしい環境問題を理由として、オゾン層破壊係数が低い又はゼロである流体を使用することが望ましい。
【０００３】
現在使用されている市販の冷却剤の大部分が純粋な流体又は共沸混合物であり、これら冷却剤の多くが、大気に放出される際にオゾン層破壊係数を有する。
【０００４】
多くの共沸混合物は、それらを冷却剤、発泡剤、噴霧剤、溶媒等として有用にさせる性質を保持する。例えば、共沸混合物は、プロセス中及び使用中に沸点の変動を起こさない定沸点を有する。
【０００５】
米国特許第７，５２４，８０５号は、実質的に、有効量のトランス−１，３，３，３−テトラフルオロプロペン（トランスＨＦＯ−１２３４ｚｅ）と、１，１−ジフルオロエタン（“Ｒ−１５２ａ”）、１，１，１，２，３，３，３−ヘプタフルオロプロパン（“Ｒ−２２７ｅａ”）、１，１，１，２−テトラフルオロエタン（“Ｒ−１３４ａ”）、１，１，１，２，２−ペンタフルオロエタン（“Ｒ−１２５”）及びこれらのうちの２以上の組み合わせからなる群から選択される化合物とからなる共沸混合物様組成物を開示する。
【０００６】
米国特許第８，５９２，５３８号は、クロロメタンと、１，１，１，３−テトラフルオロエタン（５４〜８１重量％）もしくは１，３，３，３−テトラフルオロプロペン（４７〜９９．７重量％）からなる群から選択される少なくとも１つのハイドロフルオロカーボン又はハイドロフルオロオレフィンとを含む、共沸性組成物又は共沸混合物様組成物を開示する。
【０００７】
米国特許第９，０２３，２３３号は、６３モル％の２，３，３，３−テトラフルオロプロペンと３７モル％のクロロメタンとを含む、共沸性組成物を開示する。
【０００８】
米国特許第９，５７４，１２３号は、Ｒ及びＨＦＯを含む冷却剤組成物であって、１）ＲとしてＲ−３２、Ｒ−１２５、Ｒ−１３４ａ及びＲ−１３４；２）ＨＦＯとしてＨＦＯ−１２３４ｙｆ及びＨＦＯ−１２３４ｚｅのうちの少なくとも１つ、ならびに３）第３の成分として、ＨＣＣ−４０、ＨＣＦＣ−２２、ＨＣＦＣ−１２４、ＣＦＣ−１１５、ＨＣＦＣ−１１２２、ＣＦＣ−１１１３及び３，３，３−トリフルオロプロピンからなる群から選択された少なくとも１つの構成要素、を含む当該組成物を開示する。
【０００９】
共沸混合物の形成が容易に予想できないという事実により、商業上有用である新規の、環境上安全な、分留されない混合物を特定することが複雑になっている。したがって、産業においては、依然として、新規の共沸混合物及び共沸混合物様混合物が、特に低い地球温暖化係数（ＧＷＰ）を有する化合物の組み合わせが、要望されている。
【００１０】
この事実が、この分野において用途がある新規の共沸混合物の探索を明らかに複雑にしている。それにもかかわらず、所望の特性を有する新規の共沸性組成物を発見するという、この技術分野における絶え間ない努力が存在する。
【００１１】
ハイドロフルオロオレフィン（ＨＦＯ）と少なくとも１つのハイドロフルオロカーボンとを含む本発明の共沸性組成物又は共沸混合物様組成物により、とりわけこの要望が満たされる。
発明の目的
【００１２】
本発明の目的は、１２３４ｙｆと、Ｒ−１３４及びＲ−１３４ａからなる群から選択される少なくとも１つの成分とを含む組成物を提供することである。
【発明の概要】
【００１３】
本発明は、Ｒ−１２３４ｙｆと、Ｒ−１３４ａと、Ｒ−１３４とを含む組成物を提供する。
【００１４】
本発明は、Ｒ−１２３４ｙｆと、Ｒ−１３４とを含む組成物を提供する。
【００１５】
本発明は、Ｒ−１２３４ｙｆと、Ｒ−１３４ａとを含む組成物を提供する。
【発明を実施するための形態】
【００１６】
本明細書で用いる場合、Ｒ−１２３４ｙｆの語は２，３，３，３−テトラフルオロプロペンを指し；１３４ａは１，１，１，２−テトラフルオロエタンを指し；Ｒ−１３４は１，１，２，２−テトラフルオロエタンを指し；Ｒ−１２４３ｚｆは３，３，３−トリフルオロプロパ−１−エンを指し；Ｒ−３２はジフルオロメタンを指し；Ｒ−１２５は１，１，１，２，２−ペンタフルオロエタンを指し；Ｒ−１４３ａは１，１，１−トリフルオロエタンを指し；Ｒ−１５２ａは１，１−ジフルオロエタンを指し；Ｒ−１６１はモノフルオロエタンを指し；Ｒ−２２７ｅａは１，１，１，２，３，３，３−ヘプタフルオロプロパンを指し；Ｒ−２３６ｅａは１，１，１，２，３，３−ヘキサフルオロプロパンを指し；Ｒ−２３６ｆａは１，１，１，３，３，３−ヘキサフルオロプロパンを指し；Ｒ−２４５ｆａは１，１，１，３，３−ペンタフルオロプロパンを指し；Ｒ−６００ａはイソブタンを指し；Ｒ−６００はｎ−ブタンを指し、またＲ−３６５ｍｆｃは１，１，１，３，３−ペンタフルオロブタンを指す。
【００１７】
本明細書で用いる場合、「共沸混合物又は共沸混合物様」の語は、その広義の意味を意図しており、厳密に共沸性である組成と、共沸性混合物のように振舞う組成との両方を含める。共沸性混合物は、液体組成と蒸気組成とが、一定の圧力及び温度において等しいものである２以上の成分の系である。実際には、このことは、共沸性混合物の成分は定沸点であり、相転移中に分離させることができないということを意味している。本発明の共沸混合物様組成物は、新しい共沸混合物様の系を形成するものではない追加成分を含んでもよい。
【００１８】
本発明は、Ｒ−１２３４ｙｆと、Ｒ−１３４又はＲ−１３４ａから選択される少なくとも１つとを含む、共沸性組成物又は共沸混合物様組成物を提供する。
【００１９】
本発明は、Ｒ−１２３４ｙｆと、Ｒ−１３４とを含む、共沸性組成物又は共沸混合物様組成物を提供する。
【００２０】
一実施形態においては、本発明は、約５０モル％から約９９モル％のＲ−１２３４ｙｆと、約１モル％から約５０モル％のＲ−１３４とを含む組成物に関する。
【００２１】
別の実施形態においては、本発明は、約８０モル％から約９８モル％のＲ−１２３４ｙｆと、約２モル％から約２０モル％のＲ−１３４とを含む、２成分の共沸性組成物又は共沸混合物様組成物に関する。
【００２２】
別の実施形態においては、２成分の共沸性組成物は、ポリオールエステル、ポリアルキレングリコール、ポリビニルエーテル、鉱油、アルキルベンゼン、合成パラフィン、合成ナプテン（ｓｙｎｔｈｅｔｉｃ  ｎａｐｔｈｅｎｅ）、及びポリ（アルファ）オレフィンからなる群から選択される潤滑剤をさらに含む。
【００２３】
別の実施形態においては、本発明の２成分の共沸性組成物は、冷却をもたらす又は熱を生成させるプロセスにおいて、伝熱流体、冷却剤、起泡発泡剤（ｆｏａｍ  ｂｌｏｗｉｎｇ  ａｇｅｎｔ）、エアロゾル噴霧剤、ならびに鎮火剤（ｆｉｒｅ  ｓｕｐｐｒｅｓｓｉｏｎ  ａｇｅｎｔ）及び消火剤（ｆｉｒｅ  ｅｘｔｉｎｇｕｉｓｈｉｎｇ  ａｇｅｎｔ）として有用である。
【００２４】
別の実施形態においては、本発明は、８０モル％から約９８モル％のＲ−１２３４ｙｆと、約２モル％から約２０モル％のＲ−１３４とを含む共沸性組成物を含む冷却剤組成物を提供する。
【００２５】
別の実施形態においては、本発明は、約９０モル％のＲ−１２３４ｙｆと、約１０モル％のＲ−１３４とを含む２成分の共沸性組成物又は共沸混合物様組成物に関する。
【００２６】
別の実施形態においては、２成分の共沸性組成物は、ＧＷＰが１５００未満である。
【００２７】
別の実施形態においては、２成分の共沸性組成物は、ＧＷＰが７５０未満である。
【００２８】
別の実施形態においては、２成分の共沸性組成物は、ＧＷＰが５００未満である。
【００２９】
別の実施形態においては、本発明は、ほぼ共沸性の組成物又は非共沸性の組成物であり得る、Ｒ−１２３４ｙｆ、Ｒ−１３４を含む冷却剤組成物を提供する。
【００３０】
別の実施形態においては、本発明は、Ｒ−１２３４ｙｆと、Ｒ−１３４と、Ｒ−１２３４ｙｅ、Ｒ−１２４３ｚｆ、Ｒ−３２、Ｒ−１２５、Ｒ−１３４ａ、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンからなる群から選択される、１又は複数の追加成分と、を含む組成物を提供する。
【００３１】
別の実施形態においては、本発明は、Ｒ−１２３４ｙｆと、Ｒ−１３４と、Ｒ−３２とを含む組成物を提供する。別の実施形態においては、本発明は、３０％から６０％のＲ−１２３４ｙｆと、４％から１５％のＲ−１３４と、２０％から６５％のＲ−３２とを含む冷却剤組成物を提供する。
【００３２】
別の実施形態においては、本発明は、３０％から５０％のＲ−１２３４ｙｆと、４％から１５％のＲ−１３４と、３０％から４５％のＲ−３２とを含む組成物であって、ＧＷＰが７５０未満である、当該組成物を提供する。
別の実施形態においては、本発明は、４５％から４８％のＲ−１２３４ｙｆと、１５％から２０％のＲ−１３４と、３２％から３５％のＲ−３２とを含む組成物であって、ＧＷＰが７５０未満である、当該組成物を提供する。
別の実施形態においては、本発明は、４０％から４５％のＲ−１２３４ｙｆと、４％から６％のＲ−１３４と、５０％から５５％のＲ−３２とを含む冷却剤組成物であって、ＧＷＰが７５０未満である当該組成物を提供する。
【００３３】
別の実施形態においては、本発明は、４０％から４９％のＲ−１２３４ｙｆと、１０％から１５％のＲ−１３４と、３０％から４５％のＲ−３２とを含む冷却剤組成物であって、ＧＷＰが７５０未満である当該組成物を提供する。
別の実施形態においては、本発明は、４８％から４９％のＲ−１２３４ｙｆと、１４％から１５％のＲ−１３４と、３８％から４２％のＲ−３２とを含む冷却剤組成物であって、ＧＷＰが７５０未満である当該組成物を提供する。
【００３４】
別の実施形態においては、本発明は、Ｒ−１２３４ｙｆと、Ｒ−１３４と、Ｒ−３２と、Ｒ−１５２ａとを含む組成物を提供する。別の実施形態においては、本発明は、４０％から４５％のＲ−１２３４ｙｆと、４％から６％のＲ−１３４と、２０％から６５％のＲ−３２と、２％から１５％のＲ−１５２ａとを含む冷却剤組成物を提供する。
【００３５】
別の実施形態においては、本発明は、Ｒ−１２３４ｙｆと、Ｒ−１３４と、Ｒ−３２と、Ｒ−１２５とを含む組成物を提供する。別の実施形態においては、本発明は、４０％から４５％のＲ−１２３４ｙｆと、４％から６％のＲ−１３４と、２０％から６５％のＲ−３２と、２％から１５％のＲ−１２５とを含む冷却剤組成物を提供する。
【００３６】
別の実施形態においては、本発明は、Ｒ−１２３４ｙｆと、Ｒ−１３４と、Ｒ−３２と、Ｒ−１５２ａと、Ｒ−１４３ａとを含む組成物を提供する。別の実施形態においては、本発明は、４０％から４５％のＲ−１２３４ｙｆと、４％から６％のＲ−１３４と、２０％から６５％のＲ−３２と、２％から１５％の１５２ａと、２％から１０％のＲ−１４３ａとを含む冷却剤組成物を提供する。
【００３７】
別の実施形態においては、本発明は、Ｒ−１２３４ｙｆと、Ｒ−１３４と、Ｒ−３２と、Ｒ−１５２ａと、Ｒ−１２５とを含む組成物を提供する。別の実施形態においては、本発明は、４０％から４５％のＲ−１２３４ｙｆと、４％から６％のＲ−１３４と、２０％から６５％のＲ−３２と、２％から１５％の１５２ａと、２％から１０％のＲ−１２５とを含む冷却剤組成物を提供する。
【００３８】
別の実施形態においては、本発明は、Ｒ−１２３４ｙｆと、Ｒ−１３４と、Ｒ−３２と、Ｒ−６００ａと、Ｒ−１２５とを含む組成物を提供する。別の実施形態においては、本発明は、４０％から４５％のＲ−１２３４ｙｆと、４％から６％のＲ−１３４と、２０％から６５％のＲ−３２と、２％から１５％の６００ａと、２％から１０％のＲ−１２５とを含む冷却剤組成物を提供する。
【００３９】
別の実施形態においては、本発明は、Ｒ−１２３４ｙｆと、Ｒ−１３４と、Ｒ−３２と、Ｒ−２２７ｅａと、Ｒ−１２５とを含む組成物を提供する。別の実施形態においては、本発明は、４０％から４５％のＲ−１２３４ｙｆと、４％から６％のＲ−１３４と、２０％から６５％のＲ−３２と、２％から１５％の２２７ｅａと、２％から１０％のＲ−１２５とを含む冷却剤組成物を提供する。
【００４０】
別の実施形態においては、本発明は、Ｒ−１２３４ｙｆと、Ｒ−１３４と、Ｒ−１５２ａとを含む冷却剤組成物を提供する。別の実施形態においては、本発明は、３０％から８０％のＲ−１２３４ｙｆと、４％から１５％のＲ−１３４と、５％から５５％のＲ−１５２ａとを含む冷却剤組成物を提供する。
【００４１】
別の実施形態においては、Ｒ−１２３４ｙｆと、Ｒ−１３４と、追加成分とを含む組成物は、ＧＷＰが１５００未満である。
【００４２】
別の実施形態においては、Ｒ−１２３４ｙｆと、Ｒ−１３４と、追加成分とを含む組成物は、ＧＷＰが７５０未満である。
【００４３】
別の実施形態においては、Ｒ−１２３４ｙｆと、Ｒ−１３４と、追加成分とを含む組成物は、ＧＷＰが５００未満である。
【００４４】
別の実施形態においては、Ｒ−１２３４ｙｆと、Ｒ−１３４と、追加成分とを含む組成物は、ポリオールエステル、ポリアルキレングリコール、ポリビニルエーテル、鉱油、アルキルベンゼン、合成パラフィン、合成ナプテン、及びポリ（アルファ）オレフィンからなる群から選択される潤滑剤をさらに含む。
【００４５】
別の実施形態においては、本発明の、Ｒ−１２３４ｙｆと、Ｒ−１３４と、追加成分とを含む組成物は、冷却をもたらす又は熱を生成させるプロセスにおいて、伝熱流体、起泡発泡剤、エアロゾル噴霧剤、ならびに鎮火剤及び消火剤として有用である。
【００４６】
別の実施形態においては、本発明は、Ｒ−１２３４ｙｆと、Ｒ−１３４ａと、Ｒ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分とを含む冷却剤組成物を提供する。
【００４７】
別の実施形態においては、本発明は、１０モル％から５５モル％のＲ−１３４ａと、３５モル％から９０モル％の１２３４ｙｆとを含む組成物を提供する。
【００４８】
別の実施形態においては、本発明は、１０モル％から３５モル％のＲ−１３４ａと、６０モル％から９０モル％の１２３４ｙｆと、Ｒ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分とを含む冷却剤組成物を提供する。
【００４９】
別の実施形態においては、本発明は、Ｒ−１２４４ｙｆと、Ｒ−１３４と、さらにＲ−１３４ａとを含む、共沸性組成物又は共沸混合物様組成物を提供する。
【００５０】
別の実施形態においては、本発明は、約３５モル％から８０％モル％の１２３４ｙｆと、約１モル％から約４９％のＲ−１３４ａと、約１モル％から約４９％のＲ−１３４とを含む組成物を提供する。
【００５１】
別の実施形態においては、本発明は、約６５モル％から８５モル％の１２３４ｙｆと、約４モル％から約２０％のＲ−１３４ａと、約５モル％から約１５％のＲ−１３４とを含む、３成分の共沸性組成物又は共沸混合物様組成物を提供する。
【００５２】
別の実施形態においては、Ｒ−１２３４ｙｆと、Ｒ−１３４と、Ｒ−１３４ａと、追加成分とを含む組成物は、ポリオールエステル、ポリアルキレングリコール、ポリビニルエーテル、鉱油、アルキルベンゼン、合成パラフィン、合成ナプテン、及びポリ（アルファ）オレフィンからなる群から選択される潤滑剤をさらに含む。
【００５３】
別の実施形態においては、本発明の、Ｒ−１２３４ｙｆと、Ｒ−１３４と、Ｒ−１３４ａとを含む組成物は、冷却をもたらす又は熱を生成させるプロセスにおいて、伝熱流体、起泡発泡剤、エアロゾル噴霧剤、ならびに鎮火剤及び消火剤として有用である。
【００５４】
別の実施形態においては、本発明は、Ｒ−１２３４ｙｆと、Ｒ−１３４と、Ｒ−１３４ａとを含む共沸性組成物を含む冷却剤を提供する。
【００５５】
別の実施形態においては、Ｒ−１２３４ｙｆと、Ｒ−１３４と、Ｒ−１３４ａとを含む組成物は、ＧＷＰが１５００未満である。
【００５６】
別の実施形態においては、Ｒ−１２３４ｙｆと、Ｒ−１３４と、Ｒ−１３４ａとを含む組成物は、ＧＷＰが７５０未満である。
【００５７】
別の実施形態においては、Ｒ−１２３４ｙｆと、Ｒ−１３４と、Ｒ−１３４ａとを含む組成物は、ＧＷＰが５００未満である。
【００５８】
別の実施形態においては、本発明は、Ｒ−１２３４ｙｆと、Ｒ−１３４ａと、Ｒ−１３４とを含む組成物を提供し、またＲ−１２３４ｙｅ、Ｒ−１２４３ｚｆ、Ｒ−３２、Ｒ−１２５、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンから選択される１又は複数の追加成分をさらに含む。
【００５９】
別の実施形態においては、本発明は、Ｒ−１２３４ｙｆと、Ｒ−１３４ａと、Ｒ−１３４と、Ｒ−３２とを含む組成物を提供する。
【００６０】
別の実施形態においては、本発明は、４０％から４５％のＲ−１２３４ｙｆと、２％から６％のＲ−１３４と、５％から４５％の１３４ａと、１０％から４５％のＲ−３２とを含む冷却剤組成物を提供する。
【００６１】
別の実施形態においては、本発明は、４０％から４５％のＲ−１２３４ｙｆと、４％から６％のＲ−１３４と、５％から４５％の１３４ａと、２％から１０％のＲ−６００ａとを含む冷却剤組成物を提供する。
【００６２】
別の実施形態においては、本発明は、４０％から４５％のＲ−１２３４ｙｆと、４％から６％のＲ−１３４と、５％から４５％の１３４ａと、２５から１０％のＲ−６００ａと、２％から１０％のＲ−１２５とを含む冷却剤組成物を提供する。
【００６３】
別の実施形態においては、本発明は、Ｒ−１２３４ｙｆと、Ｒ−１３４と、Ｒ−１３４ａと、Ｒ−３２と、Ｒ−１５２ａと、Ｒ−１４３ａとを含む組成物を提供する。別の実施形態においては、本発明は、４０％から４５％のＲ−１２３４ｙｆと、４％から６％のＲ−１３４と、５％から３５％の１３４ａと、２０％から６５％のＲ−３２と、２％から１５％の１５２ａと、２％から１０％のＲ−１４３ａとを含む冷却剤組成物を提供する。
【００６４】
別の実施形態においては、本発明は、Ｒ−１２３４ｙｆと、Ｒ１３４ａと、Ｒ−１３４と、Ｒ−３２と、Ｒ−１５２ａとを含む組成物を提供する。別の実施形態においては、本発明は、３０％から６５％のＲ−１２３４ｙｆと、４％から８％のＲ−１３４と、５％から５０％の１３４ａと、２０％から６５％のＲ−３２と、２％から２５％の１５２ａとを含む冷却剤組成物を提供する。
【００６５】
別の実施形態においては、本発明は、Ｒ−１２３４ｙｆと、Ｒ−１３４と、Ｒ−３２と、Ｒ−１３４ａと、Ｒ−１２５とを含む組成物を提供する。別の実施形態においては、本発明は、４０％から４５％のＲ−１２３４ｙｆと、４％から６％のＲ−１３４と、５％から３５％の１３４ａと、２０％から６５％のＲ−３２と、２％から１０％のＲ−１２５とを含む冷却剤組成物を提供する。
【００６６】
別の実施形態においては、本発明は、Ｒ−１２３４ｙｆと、Ｒ−１３４と、Ｒ−３２と、Ｒ−１３４ａと、Ｒ−２２７ｅａとを含む組成物を提供する。別の実施形態においては、本発明は、４０％から４５％のＲ−１２３４ｙｆと、４％から６％のＲ−１３４と、５％から３５％の１３４ａと、２０％から６５％のＲ−３２と、２％から１０％のＲ−２２７ｅａとを含む冷却剤組成物を提供する。
【００６７】
別の実施形態においては、本発明は、Ｒ−１２３４ｙｆと、Ｒ−１３４と、Ｒ−３２と、Ｒ−１３４ａと、Ｒ−６００ａとを含む組成物を提供する。別の実施形態においては、本発明は、４０％から４５％のＲ−１２３４ｙｆと、４％から６％のＲ−１３４と、５％から３５％の１３４ａと、２０％から６５％のＲ−３２と、２％から１０％のＲ−６００ａとを含む冷却剤組成物を提供する。
【００６８】
別の実施形態においては、Ｒ−１２３４ｙｆと、Ｒ−１３４と、Ｒ−１３４ａとを含む組成物は、ポリオールエステル、ポリアルキレングリコール、ポリビニルエーテル、鉱油、アルキルベンゼン、合成パラフィン、合成ナプテン、及びポリ（アルファ）オレフィンからなる群から選択される潤滑剤をさらに含む。
【００６９】
別の実施形態においては、Ｒ−１２３４ｙｆと、Ｒ−１３４ａと、Ｒ−１３４と、追加成分とを含む組成物は、ＧＷＰが１５００未満である。
【００７０】
別の実施形態においては、Ｒ−１２３４ｙｆと、Ｒ−１３４ａと、Ｒ−１３４と、追加成分とを含む組成物は、ＧＷＰが７５０未満である。
【００７１】
別の実施形態においては、Ｒ−１２３４ｙｆと、Ｒ−１３４ａと、Ｒ−１３４と、追加成分とを含む組成物は、ＧＷＰが５００未満である。
【００７２】
別の実施形態においては、Ｒ−１２３４ｙｆと、Ｒ−１３４ａと、Ｒ−１３４と、追加成分とを含む組成物は、冷却をもたらす又は熱を生成させるプロセスにおいて、伝熱流体、起泡発泡剤、エアロゾル噴霧剤、ならびに鎮火剤及び消火剤として有用である。
【００７３】
本発明の組成物は、特に、ジフルオロクロロメタン（Ｒ−２２）／テトラフルオロエテン（ＴＦＥ）及びクロロメタン（Ｒ−４０）／メタンの反応によって調製可能である。ジフルオロクロロメタン（Ｒ−２２）／テトラフルオロエテン（ＴＦＥ）及びクロロメタン（Ｒ−４０）／メタンの反応は、四塩化炭素、ヘキサクロロエタン、塩化トリクロロアセチル、クロロホルム、ホスゲン、塩化チオニル、塩化スルフォニル、トリクロロメチルベンゼン、有機次亜塩素酸塩、及び無機次亜塩素酸塩、又はその混合物からなる群から選択される開始剤の存在下で実行してもよい。
【００７４】
ジフルオロクロロメタン（Ｒ−２２）／テトラフルオロエテン（ＴＦＥ）及びクロロメタン（Ｒ−４０）／メタンの反応は、５００から８５０℃の範囲の温度で実行する。
【００７５】
本発明の共沸性組成物又は共沸混合物様組成物は、ＴＦＥ及びＲ４０の反応で得られたアウトレット組成物（ｏｕｔｌｅｔ  ｃｏｍｐｏｓｉｔｉｏｎ）より単離する。
【００７６】
本組成物は、幅広い用途で有用性がある。例えば、本発明の一実施形態は、本共沸混合物様組成物を含む、発泡剤、伝熱組成物、エアロゾル及びクリーニング、ならびに冷却剤の組成物に関する。
【００７７】
本発明のこの態様の別の実施形態においては、共沸混合物又は共沸混合物様組成物は、約０．５％未満の非吸収性の気体をさらに含む。
【００７８】
本発明のこの態様の別の実施形態においては、冷却剤組成物は、潤滑剤、色素（紫外色素を含む）、可溶化剤、相溶化剤（ｃｏｍｐａｔｉｂｉｌｉｚｅｒ）、安定剤、トレーサー、パーフルオロポリエーテル、摩耗防止剤、極圧剤、腐食防止剤及び酸化防止剤、金属表面エネルギー還元剤、金属表面不活性化剤、フリーラジカル消去剤、泡制御剤、粘度指数向上剤、流動点降下剤、界面活性剤、粘度調整剤、ならびにその混合物からなる群から選択される任意の成分を含有してもよい。実際には、これら任意の他の成分の多くは、これらカテゴリのうちの１又は複数に該当し、また１又は複数の性能上の特性をそれら自体が達成するのに役立つ品質を有し得る。
【００７９】
この態様の別の実施形態においては、本発明は、本発明の冷却剤組成物を用いた冷却プロセスを提供するものであって、これは、
ａ）冷却剤組成物を凝縮するステップと、
ｂ）冷却剤組成物を蒸発させるステップとを含む。
【００８０】
本発明のこれら組成物は、比較的低い地球温暖化係数（「ＧＷＰ」）を呈する傾向がある。
【００８１】
この背景、及び完全な明細書でのより詳細なやり方でやがて出願されるものである他の背景に対して、本発明は、以下の非限定的な実施例において明らかになり、説明される。
【実施例】
【００８２】
本発明の共沸混合物組成物又は共沸混合物様組成物を冷却剤組成物として用いて、屋内を２７℃の乾球温度（ＤＢＴ）及び１９℃の湿球温度（ＷＢＴ）ならびに屋外を３５ＤＢＴ及び２４ＷＢＴに維持して、標準ＡＳＨＲＡＥモデル化プログラムで試験することが可能である。
【００８３】
本発明の冷却剤組成物を表１に列記している。
【００８４】
本発明の組成物のＲ−２２との比較を表２に列記している。本発明のＲ−４０４との比較を表３に列記している。
表１
【００８５】
全ての量は質量％として計算している。
【００８６】
【表１】
2021526566.tif 000007
【００８７】
【表２】
2021526566.tif 000008
【００８８】
【表３】
2021526566.tif 000009
【００８９】
蒸発エンタルピーの比較データを、以下の表４で与える。
【００９０】
【表４】
2021526566.tif 000010
【００９１】
上記の表に示したように、本発明の冷却剤組成物は、良好な冷却性能を呈し、またレガシーであるＲ２２及び４０４Ａの冷却剤と実質的に同様の手法で、同一条件下で運用されることとなる。性能係数は、Ｒ２２とほぼ近く、またＯＤＰはゼロであり、そして非常に低ＧＷＰである。
【００９２】
本発明の冷却剤組成物は、以下の表５に与えるとおりより高い比熱容量を有する。Ｃｐ（定圧比熱）は、定圧で熱を与えた場合に、温度を１℃上昇させるのに必要な熱の量であり、Ｃｖ（定積比熱）は、定容積で熱を与えた場合に、温度を１℃上昇させるのに必要な熱の量を意味する。
【００９３】
【表５】
2021526566.tif 000011
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
約３０％から６５％のＲ−１２３４ｙｆと、約２％から１５％のＲ−１３４と、Ｒ−１２３４ｙｅ、Ｒ−１２４３ｚｆ、Ｒ−３２、Ｒ−１２５、Ｒ−１３４ａ、Ｒ−１４３ａ、Ｒ−１５２ａ、Ｒ−１６１、Ｒ−２２７ｅａ、Ｒ−２３６ｅａ、Ｒ−２３６ｆａ、Ｒ−２４５ｆａ、Ｒ−３６５ｍｆｃ、プロパン、ｎ−ブタン、イソブタン、２−メチルブタン、ｎ−ペンタンからなる群から選択される１又は複数の追加成分とを含む、組成物。
【請求項２】
約３０％から６５％のＲ−１２３４ｙｆと、約２％から１５％のＲ−１３４と、約１０％から４５％のＲ−３２とを含む、請求項１に記載の組成物。
【請求項３】
約３０％から６５％のＲ−１２３４ｙｆと、約２％から１５％のＲ−１３４と、約１０％から４５％のＲ−３２と、Ｒ−１２５、Ｒ−１３４ａ、Ｒ−１４３ａ、Ｒ−１５２ａ、Ｒ−２２７ｅａ、ｎ−ブタン、イソブタン、２−メチルブタン、ｎ−ペンタンからなる群から選択される１又は複数の追加成分とを含む、請求項１に記載の組成物。
【請求項４】
約３０％から６５％のＲ−１２３４ｙｆと、約２％から１５％のＲ−１３４と、約５％から４５％のＲ−１３４ａとを含む、請求項１に記載の組成物。
【請求項５】
約３０％から６５％のＲ−１２３４ｙｆと、約２％から１５％のＲ−１３４と、約５％から４５％の１３４ａと、Ｒ−１２５、Ｒ−１４３ａ、Ｒ−１５２ａ、Ｒ−２２７ｅａ、ｎ−ブタン、イソブタン、２−メチルブタン、ｎ−ペンタンからなる群から選択される１又は複数の追加成分とを含む、請求項１に記載の組成物。
【請求項６】
ポリオールエステル、ポリアルキレングリコール、ポリビニルエーテル、鉱油、アルキルベンゼン、合成パラフィン、合成ナプテン（ｓｙｎｔｈｅｔｉｃ  ｎａｐｔｈｅｎｅ）、及びポリ（アルファ）オレフィンからなる群から選択される潤滑油をさらに含む、請求項１乃至請求項５のいずれか一項に記載の組成物。
【請求項７】
前記組成物は、ＧＷＰが１５００未満である、請求項１乃至請求項６のいずれか一項に記載の組成物。
【請求項８】
前記組成物は、伝熱流体、冷却剤、起泡発泡剤（ｆｏａｍ  ｂｌｏｗｉｎｇ  ａｇｅｎｔ）、エアロゾル噴霧剤、ならびに鎮火剤（ｆｉｒｅ  ｓｕｐｐｒｅｓｓｉｏｎ  ａｇｅｎｔ）及び消火剤（ｆｉｒｅ  ｅｘｔｉｎｇｕｉｓｈｉｎｇ  ａｇｅｎｔ）として有用である、請求項１乃至請求項７のいずれか一項に記載の組成物。
【国際調査報告】
2021526566.tif 000012
2021526566.tif 000013
2021526566.tif 000014
2021526566.tif 000015